(57)【要約】      （修正有）【課題】増加キャリア監視無線通信環境においてシグナリングするためのシステム及び方法を提供する。【解決手段】ユーザイクイップメント（ＵＥ）は、増加キャリア監視のためにＵＥを設定し、ネットワーク装置から受信された第１信号に基づいて、低下パフォーマンスグループキャリアが設定されているかどうかを決定し、ネットワーク装置から受信した第２信号に基づいて、スケールファクタが設定されているかどうかを決定し、低下パフォーマンスグループキャリアが設定されておらず、スケールファクタが設定されていないとの決定に応答して、ＵＥが増加キャリア監視によって必要とされるよりも少ないキャリアを監視することを許容する、制御回路を含むことができる。【選択図】図３
2018033137.tif 000002
【特許請求の範囲】
【請求項１】
コンピュータプログラムであって、当該コンピュータプログラムは、ユーザイクイップメント（ＵＥ）に、
無線リソース制御（ＲＲＣ）メッセージのスケールファクタ（measScaleFactor）情報要素（ＩＥ）におけるスケールファクタを識別することと、
第２のパフォーマンスグループの第２の測定遅延よりも大きい第１の測定遅延を有する第１のパフォーマンスグループに属するキャリアの測定値を生成することであって、前記第１のパフォーマンスグループに属するキャリアは、第２のキャリア監視能力に比べて増加した第１のキャリア監視能力に従って管理される、生成することと、
前記スケールファクタを前記測定値に適用することと、
をさせるコンピュータプログラム。
【請求項２】
前記コンピュータプログラムは、前記ＵＥに、
前記ＵＥがエボルブドユニバーサル地上無線アクセス（Ｅ−ＵＴＲＡ）の第１のキャリア監視能力又はユニバーサル地上無線アクセス（ＵＴＲＡ）の第１のキャリア監視能力をサポートしていることを示す指示のシグナリングを制御すること
をさせる、請求項１に記載のコンピュータプログラム。
【請求項３】
前記コンピュータプログラムは、前記ＵＥに、
第２のＲＲＣメッセージの受信を制御することと、
スケールファクタが前記第２のＲＲＣメッセージの第２のmeasScaleFactor  ＩＥに含まれていないという決定に基づき、さらに前記第１のキャリア監視能力の前記ＵＥのサポートに基づいて、前記第２のキャリア監視能力に従ってキャリアを監視することと、
をさせる、請求項１に記載のコンピュータプログラム。
【請求項４】
前記measScaleFactor  ＩＥに含まれる前記スケールファクタは、８又は１６の値を含む、請求項１に記載のコンピュータプログラム。
【請求項５】
前記measScaleFactor  ＩＥは、前記ＲＲＣメッセージの測定設定（MeasConfig）ＩＥに含まれる、請求項１に記載のコンピュータプログラム。
【請求項６】
前記コンピュータプログラムは、前記ＵＥに、
取得したシステム情報ブロック（ＳＩＢ）の低下測定パフォーマンス（reducedMeasPerformance）ＩＥが真の値を含むという決定にさらに基づいて、前記第１のパフォーマンスグループに属するキャリアを監視すること、又は
取得した前記ＳＩＢのreducedMeasPerformance  ＩＥが偽の値を含むとき、若しくは取得した前記ＳＩＢが前記reducedMeasPerformance  ＩＥを含まないとき、前記第２のパフォーマンスグループに属するキャリアを監視することと、
をさせる、請求項１に記載のコンピュータプログラム。
【請求項７】
前記ＳＩＢは、ＳＩＢタイプ６である、請求項６に記載のコンピュータプログラム。
【請求項８】
前記スケールファクタは、前記第１のパフォーマンスグループに属する測定されたキャリアの要件に適用される緩和を定義する、請求項１から７のいずれか一項に記載のコンピュータプログラム。
【請求項９】
ユーザイクイップメント（ＵＥ）に実装される装置であって、
スケールファクタ（measScaleFactor）情報要素（ＩＥ）を含む無線リソース制御（ＲＲＣ）メッセージを受信する無線周波数（ＲＦ）回路であって、該measScaleFactor  ＩＥは、他の測定されるキャリアの測定パフォーマンスに比べて低下した測定パフォーマンスで測定されるキャリアの要件に適用される緩和を定義するスケールファクタを含む、ＲＦ回路と、
前記ＲＦ回路に結合されたプロセッサ回路であって、前記プロセッサ回路は、
前記ＲＲＣメッセージ内の情報に基づき、前記スケールファクタが前記measScaleFactor  ＩＥに含まれているとの決定に基づいて、低下パフォーマンスグループに属するキャリアを識別することであって、該低下パフォーマンスグループに属する該キャリアは、通常パフォーマンスグループに属するキャリアの測定遅延よりも悪い測定遅延を有する、識別することと、
識別された前記キャリアの測定値を生成することであって、識別された前記キャリアは、通常キャリア監視能力に比べて増加した増加キャリア監視能力に従って監視される、生成することと、
前記スケールファクタを生成された前記測定値に適用すること、を行う装置。
【請求項１０】
前記プロセッサ回路は、前記ＲＦ回路が、
前記ＵＥがエボルブドユニバーサル地上無線アクセス（Ｅ−ＵＴＲＡ）の増加キャリア監視能力又はユニバーサル地上無線アクセス（ＵＴＲＡ）の増加キャリア監視能力をサポートしていることを示す指示を送信すること、
を制御する、請求項９に記載の装置。
【請求項１１】
前記プロセッサ回路は、前記ＲＦ回路が、
スケールファクタが前記measScaleFactor  ＩＥに含まれていないという決定に基づいて、かつ前記ＵＥが前記増加キャリア監視能力をサポートしているかどうかにかかわらず、前記通常キャリア監視能力に従ってキャリアを監視すること
を制御する、請求項９に記載の装置。
【請求項１２】
前記measScaleFactor  ＩＥに含まれる前記スケールファクタは、８又は１６の値を含む、請求項９に記載の装置。
【請求項１３】
前記measScaleFactor  ＩＥは、前記ＲＲＣメッセージの測定設定（MeasConfig）ＩＥに含まれる、請求項９に記載の装置。
【請求項１４】
前記プロセッサ回路は、前記ＲＦ回路が、
取得したシステム情報ブロック（ＳＩＢ）の低下測定パフォーマンス（reducedMeasPerformance）ＩＥが真の値を含むとき、前記低下パフォーマンスグループに属する周波数間キャリアを監視すること、又は
取得した前記ＳＩＢのreducedMeasPerformance  ＩＥが偽の値を含むとき、若しくは取得した前記ＳＩＢが前記reducedMeasPerformance  ＩＥを含まないとき、通常パフォーマンスグループに属する周波数間キャリアを監視すること、
を制御する、請求項９に記載の装置。
【請求項１５】
前記ＳＩＢは、ＳＩＢタイプ６である、請求項１４に記載の装置。
【請求項１６】
ユーザイクイップメント（ＵＥ）に実装されるシステムオンチップ（ＳｏＣ）であって、
ベースバンド回路とメモリ回路とを含み、該ベースバンド回路は、
ＵＥが第２のキャリア監視能力に比べて増加した増加キャリア監視能力をサポートしているという指示の送信を制御することと、
無線リソース制御（ＲＲＣ）メッセージの測定設定（MeasConfig）ＩＥ内のスケールファクタ（measScaleFactor）情報要素（ＩＥ）におけるスケールファクタを識別することであって、該スケールファクタは、第１のパフォーマンスグループに属する測定されるキャリアの要件に適用される緩和を定義する、識別することと、
低下パフォーマンスグループに属するキャリアの測定値を生成することであって、該低下パフォーマンスグループに属するキャリアは、通常パフォーマンスグループに属するキャリアの第２の測定遅延より大きい第１の測定遅延を有する、生成することと、
前記スケールファクタを前記測定値に適用することと、を行う、ＳｏＣ。
【請求項１７】
前記指示は、前記ＵＥがエボルブドユニバーサル地上無線アクセス（Ｅ−ＵＴＲＡ）の第１のキャリア監視能力又はユニバーサル地上無線アクセス（ＵＴＲＡ）の第１のキャリア監視能力をサポートしていることを示すものである、請求項１６に記載のＳｏＣ。
【請求項１８】
前記ベースバンド回路は、
前記スケールファクタが前記ＲＲＣメッセージのmeasScaleFactor  ＩＥに含まれていないとき、前記通常パフォーマンスグループに属するキャリアの測定値を、通常キャリア監視能力に従って生成すること、
を行うものである、請求項１６に記載のＳｏＣ。
【請求項１９】
前記measScaleFactor  ＩＥに含まれる前記スケールファクタは、８又は１６の値を含む、請求項１６に記載のＳｏＣ。
【請求項２０】
前記ベースバンド回路は、
取得したシステム情報ブロック（ＳＩＢ）の低下測定パフォーマンス（reducedMeasPerformance）ＩＥが真の値を含むという決定にさらに基づいて、前記第１のパフォーマンスグループに属するキャリアを監視すること、又は
取得した前記ＳＩＢのreducedMeasPerformance  ＩＥが偽の値を含むとき、若しくは取得した前記ＳＩＢが前記reducedMeasPerformance  ＩＥを含まないとき、第２のパフォーマンスグループに属するキャリアを監視することと、
を行う、請求項１６に記載のＳｏＣ。
【請求項２１】
前記ＳＩＢは、ＳＩＢタイプ６である、請求項２０に記載のＳｏＣ。
【請求項２２】
エボルブドｎｏｄｅＢ（ｅＮＢ）に実装されるシステムオンチップ（ＳｏＣ）であって、
ベースバンド回路とメモリ回路とを含み、該ベースバンド回路は、
低下パフォーマンスグループのキャリアの要件に適用される緩和を定義するスケールファクタを識別することであって、該低下パフォーマンスグループの個々のキャリアは、通常パフォーマンスグループの個々のキャリアの測定遅延よりも小さい測定遅延である測定遅延を有する、識別することと、
ユーザイクイップメント（ＵＥ）が増加キャリア監視能力についてのサポートを指示するときに、識別された前記スケールファクタを示すスケールファクタ（measScaleFactor）情報要素（ＩＥ）と、測定されるキャリアを示す測定オブジェクトＩＥとを含む無線リソース制御（ＲＲＣ）メッセージを生成することであって、該増加キャリア監視能力は、通常キャリア監視能力を有する他のＵＥが監視することができるキャリアの数に比べて増加したキャリアの数を監視することができることを示す、生成することと、
前記ＵＥへの前記ＲＲＣメッセージの送信を制御することと、を行う、ＳｏＣ。
【請求項２３】
前記ベースバンド回路は、
前記ＵＥがエボルブドユニバーサル地上無線アクセス（Ｅ−ＵＴＲＡ）の増加キャリアモニタリング能力又はユニバーサル地上無線アクセス（ＵＴＲＡ）の増加キャリアモニタリング能力をサポートしているという指示を、前記ＵＥから取得したメッセージから識別する、請求項２２に記載のＳｏＣ。
【請求項２４】
前記ベースバンド回路は、
前記ＵＥが前記低下パフォーマンスグループに属するキャリアを監視すべきでない、あるいは前記増加した前記キャリアの数を監視すべきでないと決定することと、
前記スケールファクタを含まないように前記ＲＲＣメッセージを生成する、請求項２２に記載のＳｏＣ。
【請求項２５】
前記measScaleFactor  ＩＥに含まれる前記スケールファクタは、８又は１６の値を含み、前記measScaleFactor  ＩＥは、前記ＲＲＣメッセージの測定設定（MeasConfig）ＩＥに含まれる、請求項２２から２４のいずれか一項に記載のＳｏＣ。
【発明の詳細な説明】
【技術分野】
【０００１】
本出願は、２０１４年１１月１９日に出願された「INCMON  FEATURE  UE  BEHAVIOUR」と題する、米国仮出願第６２／０８２，００４号の優先権を主張する、２０１５年５月５日に出願された「SYSTEM  AND  METHODS  FOR  SIGNALING  IN  AN  INCREASED  CARRIER  MONITORING  WIRELESS  COMMUNICATION  ENVIRONMENT」と題する、米国特許出願第１４／７０４，８４８号の優先権を主張する。これらの開示内容は、参照によりその全体が本明細書に援用される。
【０００２】
本開示の実施形態は、概して、無線通信の分野に関し、より詳細には、増加キャリア監視無線通信環境においてシグナリングするためのシステム及び方法に関する。
【背景技術】
【０００３】
いくつかの無線通信プロトコルは、ユーザイクイップメントがある数のキャリアを測定することを必要とし、より新しいプロトコルだと、古いプロトコルにより必要とされたキャリアよりも多くのキャリアを測定することを必要とすることがある。例えば、リリース１１ロングタームエボリューション（ＬＴＥ）環境でのユーザイクイップメント（ＵＥ）は、３個のユニバーサル地上無線アクセス（ＵＴＲＡ）周波数分割複信（ＦＤＤ）キャリアのみを監視することを必要とされ得る一方で、リリース１２ＬＴＥ環境でのユーザイクイップメントは、少なくとも６個のＵＴＲＡ  ＦＤＤキャリアを監視することを必要とされ得る。
【図面の簡単な説明】
【０００４】
実施形態は、添付図面と併せて以下の詳細な説明によって容易に理解されるものである。説明を容易にするために、類似の参照番号は類似の構造要素を示す。実施形態は、添付図面の図において限定ではなく例として示される。
【図１】図１は、様々な実施形態による無線通信環境の一部のブロック図である。
【図２】図２は、いくつかの実施形態によるＵＥを動作させるプロセスのフロー図である。
【図３】図３は、いくつかの実施形態によるＵＥを動作させるプロセスのフロー図である。
【図４】図４は、いくつかの実施形態によるｅＮＢを動作させるプロセスのフロー図である。
【図５】図５は、本明細書で説明される様々な実施形態を実施するために使用され得る例示的なシステムのブロック図である。
【発明を実施するための形態】
【０００５】
本開示の実施形態は、増加キャリア監視環境におけるシグナリングのためのシステム及び方法を含む。ユーザイクイップメント（ＵＥ）（スマートフォン、他の移動通信デバイス等）は、それが時間及び空間を移動するときに、多くの異なるタイプの無線通信ネットワークと相互作用することが多い。新しい機能（以下で説明される、増加キャリア監視等）が新しいネットワーク仕様に含まれるにつれて、そのような新しい機能を実行するように構成されたＵＥは、より古い又は異なるネットワーク仕様により認識されない機能、そうでなくてもサポートされない機能を見つけ出すことがある。より古い又は異なるネットワーク仕様が、より新しい機能を予期しない場合、そのようなより古いネットワーク又は異なるネットワークと相互作用するＵＥは、受信することが期待される、その機能に関するネットワーク信号を受信しない可能性があり、これにより、その機能を実行するか否かを知ることができない。より新しいネットワークとＵＥとの間に付加的に機能固有のシグナリングを追加すれば、あいまいさに対処するのには役に立つものの、追加のシグナリングオーバヘッドを犠牲にしている。無線通信ネットワーク仕様は、通信リソースを可能な限り無駄なく効率的にするように洗練され続けるので、そのような追加コストは受け入れられない可能性がある。
【０００６】
本明細書に開示されている実施形態の様々なものは、既存の信号データの特定の組み合わせを利用して、ＵＥが増加キャリア監視にしたがうべきか、又はそうすべきではないかを通信するように、ＵＥ及びそれらが相互作用するネットワークコンポーネント（例えば、ｅＮＢ）を設定することによってこれらの問題に対象することができる。これらの実施形態は、シグナリングオーバヘッドを発生させない又は最小限に抑えつつ、増加キャリア監視が実行されるべきか否かに関してＵＥが不明確又は矛盾する命令を有する状況を、低減又は排除することができる。
【０００７】
以下の詳細な説明では、本明細書の一部を形成する添付図面を参照するが、ここで、類似の参照符号は類似の部分を示し、実施可能な例示的な実施形態を示す。本開示の範囲から逸脱することなく、他の実施形態を利用することができ、構造的又は論理的な変更を行うことができることを理解されたい。
【０００８】
特許請求の範囲に記載の主題を理解する際に最も有用な方法で、様々な動作を複数の個別の活動又は動作として説明することができる。しかし、説明の順序は、これらの動作が必然的に順序に依存することを意味すると解釈されるべきではない。特に、これらの動作は、提示順に実行されなくてよい。説明された動作は、記載された実施形態と異なる順序で実行されてもよい。様々な追加の動作が実行されてもよいし、記載された動作が追加の実施形態では省略されてもよい。
【０００９】
本開示の目的のために、用語「又は（or）」は、その用語と結合されたコンポーネントの少なくとも１つを意味する包括的用語として使用される。例えば、語句「Ａ又はＢ」は、（Ａ）、（Ｂ）、又は（Ａ及びＢ）を意味する。語句「Ａ、Ｂ又はＣ」は、（Ａ）、（Ｂ）、（Ｃ）、（Ａ及びＢ）、（Ａ及びＣ）、（Ｂ及びＣ）、（Ａ、Ｂ及びＣ）を意味する。
【００１０】
説明では、語句「１つの実施形態において」又は「複数の実施形態において」を使用することがあるが、それぞれが同じ又は異なる実施形態の１つ以上を参照することができる。さらに、本開示の実施形態に関して使用される、用語「含む（comprising）」、「含む（including）」、「有する（having）」等は同義語である。
【００１１】
本明細書で使用される場合、用語「回路」は、特定用途向け集積回路（ＡＳＩＣ）、電子回路、1つ以上のソフトウェア若しくはファームウェアプログラムを実行するプロセッサ（共有、専用若しくはグループ）若しくはメモリ（共有、専用、若しくはグループ）、組合せ論理回路、又は説明された機能を提供する他の適切なハードウェアコンポーネントの一部又はそれらを含むことを示し得る。
【００１２】
図１は、様々な実施形態による無線通信環境１００を概略的に示す。無線通信環境１００は、１つ以上の無線通信ネットワークを介して通信することができるユーザイクイップメント（ＵＥ）１０２を含むことができる。例えば、ＵＥ１０２は、セルラーネットワーク及び無線ローカルエリアネットワーク（ＷＬＡＮ）を介して通信するように設定されてもよい。セルラーネットワークは、第３世代パートナーシッププロジェクト（３ＧＰＰ）ＵＭＴＳ（universal  mobile  telecommunications  system）プロトコルに準拠したユニバーサル地上無線アクセス（ＵＴＲＡ）又は３ＧＰＰロングタームエボリューション（ＬＴＥ）プロトコルに準拠したエボルブドＵＴＲＡ（Ｅ−ＵＴＲＡ）等の任意の適切な無線アクセス技術（ＲＡＴ）を利用することができる。ＵＥ１０２は、無線制御回路１０６を介して無線ハードウェア１０８と結合しているキャリア監視制御回路１０４を含むことができる。キャリア監視制御回路１０４は、ＵＥ１０２のキャリア監視関連動作を制御することができる。無線制御回路１０６は、キャリア監視制御回路１０４による処理のために無線ハードウェア１０８から信号を受信するための回路及び／又はキャリア監視制御回路１０４から無線ハードウェア１０８に信号を供給するための回路を含むことができる。いくつかの実施形態では、無線制御回路１０６は、キャリア監視制御回路１０４に含まれる１つ以上の処理デバイスによって実行され得る、１つ以上のコンピュータ読み取り可能媒体に記憶されたコンピュータ読み取り可能命令より提供されることができる。ＵＥ１０２は、無線ハードウェア１０８を使用して、１つ以上の他のデバイスと無線通信環境１００（例えば、後述するｅＮＢ１１２）で無線通信することができる。無線ハードウェア１０８は、無線送信回路、受信回路等の無線通信を実行するための任意の適切な従来のハードウェア（例えば、アンテナ１０９）を含むことができる。いくつかの実施形態では、無線ハードウェア１０８の送信及び／又は受信回路は、トランシーバ回路の要素又はモジュールであってもよい。ＵＥ１０２は、任意の適切な機能（本明細書の多数の例を述べる）を実行することができる他の回路１１０を含むことができる。
【００１３】
無線通信環境１００はまた、上述したようにセルラーネットワークの一部であり得るｅＮＢ（「エボルブドＮｏｄｅＢ」又は「ｅＮｏｄｅＢ」とも呼ばれる）１１２を含むことができる。ｅＮＢ１１２は、１つ以上のＵＥ（例えば、ＵＥ１０２）と無線通信環境１００のバックボーンネットワークとの間の仲介役を果たすことができる。ｅＮＢ１１２がそのようなサービスを提供し得る地理的領域を、ｅＮＢ１１２に関連するセルと呼ぶことができる。ＵＥ１０２がｅＮＢ１１２からそのようなサービスを受信しているとき、ＵＥ１０２は、ｅＮＢ１１２のサービングセル内にいると呼ばれ得る。ｅＮＢ１１２は、無線制御回路１１６を介して無線ハードウェア１１８に結合されているキャリア監視制御回路１１４を含むことができる。キャリア監視制御回路１１４は、ｅＮＢ１１２のキャリア監視関連動作を制御することができる。いくつかの実施形態では、無線制御回路１１６は、キャリア監視制御回路１１４による処理のために無線ハードウェア１１８から信号を受信するための回路及び／又はキャリア監視制御回路１１４から無線ハードウェア１１８に信号を供給するための回路を含むことができる。無線制御回路１１６は、キャリア監視制御回路１１４に含まれる１つ以上の処理デバイスによって実行され得る、１つ以上のコンピュータ読み取り可能媒体に記憶されたコンピュータ読み取り可能命令より提供されることができる。ｅＮＢ１１２は、無線ハードウェア１１８を使用して、１つ以上の他のデバイスと無線通信環境１００（例えば、ＵＥ１０２）で無線通信することができる。無線ハードウェア１１８は、無線送信回路、受信回路等の無線通信を実行するための任意の適切な従来のハードウェア（例えば、アンテナ１１９）を含むことができる。いくつかの実施形態では、無線ハードウェア１１８の送信及び／又は受信回路は、トランシーバ回路の要素又はモジュールであってもよい。ｅＮＢ１１２は、ネットワークコントローラ（図示せず）との有線、無線通信等の任意の適切な機能を実行することができる他の回路１２０を含むことができる。
【００１４】
無線通信環境１００はまた、レガシー（legacy）ｅＮＢ１２２も含むことができる。レガシーｅＮＢ１２２は、ＵＭＴＳプロトコルの以前のリリース又はＬＴＥプロトコルの以前のリリース（例えば、リリース１１）に従って動作することができる。様々な時に、ＵＥ１０２は、レガシーｅＮＢ１２２と通信することができる。単一のＵＥ１０２及び単一のｅＮＢ１１２が図１に示されているが、これは単に説明を分かりやすくするためのものであり、無線通信環境１００は、ＵＥ１０２を参照して本明細書で説明されたように設定されている１つ以上のＵＥ及びｅＮＢ１１２を参照して本明細書で説明されたように設定されている１つ以上のｅＮＢと通信するように設定されてもよい。例えば、ＵＥ１０２は、ｅＮＢ１１２を参照して本明細書で説明されたように設定された１つ以上のｅＮＢと通信するように設定されてもよい（レガシーｅＮＢ１２２を参照して本明細書で説明されたように設定された１つ以上のレガシーｅＮＢとの通信するように設定される）。そして、ｅＮＢ１１２は、ＵＥ１０２を参照して本明細書で説明されたように設定された２つ以上のＵＥと通信するように設定されてもよい。
【００１５】
キャリア監視制御回路１０４は、ＵＥ１０２に同一周波数（intra-frequency）、異周波数（inter-frequency）及び異なるＲＡＴセルを検出、同期化及び監視させるように設定されることができる。これらのセルは、サービングセルの測定制御システム情報に示され、ｅＮＢ（例えば、ｅＮＢ１１２）によってＵＥ１０２に提供されることができる。ＵＥ１０２は、この情報を、例えば、セル再選択のために使用することができる。
【００１６】
ＵＥ１０２のキャリア監視制御回路１０４は、ＵＥ１０２による増加キャリア監視をサポートするように設定されることができる。本明細書で使用される「増加キャリア監視」は、ＵＭＴＳ又はＬＴＥプロトコルの以前のリリースで必要とされたキャリアよりもより多くのキャリアを監視することを示す。以下の表１は、増加キャリア監視ＵＴＲＡ（ＵＭＴＳプロトコルを使用する）をサポートするＵＥについての様々なタイプの増加キャリア数の例をまとめており、以下の表２は、増加キャリア監視Ｅ−ＵＴＲＡ（ＬＴＥプロトコルを使用する）をサポートするＵＥについての様々なタイプの増加キャリア数の例をまとめている。
【００１７】
【表１】
2018033137.tif 000003
【００１８】
【表２】
2018033137.tif 000004
いくつかの実施形態では、増加キャリア監視を実行していないＵＥは、専用チャネル（ＣＥＬＬ  ＤＣＨ）状態及びシングルアップリンクキャリア周波数が設定されているときに、３２個までの同一周波数分割複信（ＦＤＤ）セル（アクティブセットにあるものを含む）と、２個までの追加のＦＤＤキャリアに分配されるＦＤＤセルと、ＵＥ能力に応じて、３個までのＴＤＤキャリアに分配される時分割複信（ＴＤＤ）セルとを含む３２個の異周波数セルと、ＵＥ能力に応じて、３２個までの移動体通信用グローバルシステム（ＧＳＭ（登録商標））キャリアに分配される３２個のＧＳＭセルと、ＵＥ能力に応じて、４個までのＥ−ＵＴＲＡ  ＦＤＤキャリアに対するＥ−ＵＴＲＡ  ＦＤＤキャリア当たり４個のＥ−ＵＴＲＡ  ＦＤＤセルと、ＵＥ能力に応じて、４個までのＥ−ＵＴＲＡ  ＴＤＤキャリアに対するＥ−ＵＴＲＡ  ＴＤＤキャリア当たり４個のＥ−ＵＴＲＡ  ＴＤＤセルと、ＵＥ能力に応じて、ダウンリンクのアイドル期間（ＩＰＤＬ）ギャップ中の１６個までの同一周波数セルと、を監視可能であることが必要とされる。これらの要件に加えて、いくつかの実施形態では、Ｅ−ＵＴＲＡ測定をサポートしているが、増加キャリア監視を実行していないＵＥは、同一周波数サービングレイヤを含み、上述したＥ−ＵＴＲＡ  ＦＤＤ、Ｅ−ＵＴＲＡ  ＴＤＤ、ＵＴＲＡ  ＦＤＤ、ＵＴＲＡ  ＴＤＤ及ＧＳＭレイヤの任意の組合せを含む（１個のＧＳＭレイヤは３２個のセルに対応する）、最小合計８個のキャリア周波数レイヤを監視することができなければならない。
【００１９】
いくつかの実施形態では、増加キャリア監視を実行していないＵＥは、ＣＥＬＬ  ＤＣＨ状態及びデュアルアップリンクキャリア周波数が設定されているときに、同一周波数キャリア当たり３２個までの同一周波数ＦＤＤセル（アクティブセットにあるものを含む）と、２個までの追加のＦＤＤキャリアに分配されるＦＤＤセルと、ＵＥ能力に応じて、３個までのＴＤＤキャリアに分配されるＴＤＤセルとを、含む３２個の異周波数セルと、ＵＥ能力に応じて、３２個までのＧＳＭキャリアに分配される３２個のＧＳＭセルと、ＵＥ能力に応じて、４個までのＥ−ＵＴＲＡ  ＦＤＤキャリアに対するＥ−ＵＴＲＡ  ＦＤＤキャリア当たり４個のＥ−ＵＴＲＡ  ＦＤＤセルと、ＵＥ能力に応じて、４個までのＥ−ＵＴＲＡ  ＴＤＤキャリアに分配されるＥ−ＵＴＲＡ  ＴＤＤキャリア当たり４個のＥ−ＵＴＲＡ  ＴＤＤセルと、ＵＥ能力に応じて、ＩＰＤＬギャップ中の１６個までの同一周波数セルと、を監視可能であることが必要とされる。これらの要件に加えて、いくつかの実施形態では、Ｅ−ＵＴＲＡ測定をサポートしているが、増加キャリア監視を実行していないＵＥは、同一周波数サービングレイヤを含み、上述したＥ−ＵＴＲＡ  ＦＤＤ、Ｅ−ＵＴＲＡ  ＴＤＤ、ＵＴＲＡ  ＦＤＤ、ＵＴＲＡ  ＴＤＤ及ＧＳＭレイヤの任意の組合せを含む（１個のＧＳＭレイヤは３２個のセルに対応する）、最小合計９個のキャリア周波数レイヤを監視することができなければならない。
【００２０】
いくつかの実施形態では、増加キャリア監視を実行していないＵＥは、セルフォワードアクセスチャネル（ＣＥＬＬ  ＦＡＣＨ）状態にあるときに、３２個までの同一周波数ＦＤＤセルと、２個までの追加のＦＤＤキャリアに分配されるＦＤＤセルを含む３２個の異周波数セルと、ＵＥ能力に応じて、３個までのＴＤＤキャリアに分配されるＴＤＤモードセルと、ＵＥ能力に応じて、３２個までのＧＳＭキャリアに分配される３２個のＧＳＭセルと、ＵＥ能力に応じて、４個までのＥ−ＵＴＲＡ  ＦＤＤキャリアと、ＵＥ能力に応じて、４個までのＥ−ＵＴＲＡ  ＴＤＤキャリアと、ＵＥ能力に応じて、ＩＰＤＬギャップ中の１６個までの同一周波数セルと、を監視可能であることが必要とされる。
【００２１】
対照的に、いくつかの実施形態では、増加キャリア監視ＵＴＲＡへのサポートを示すＵＥは、さらに、キャリア当たり３２個までのセルを備えた５個のＦＤＤ  ＵＴＲＡ異周波数キャリアを含む少なくとも８０の異周波数セルを監視することができ得る。いくつかの実施形態では、増加キャリア監視Ｅ−ＵＴＲＡへのサポートを示すＵＥは、少なくとも、ＵＥ能力に応じて、８個のＦＤＤ  Ｅ−ＵＴＲＡキャリアと、ＵＥ能力に応じて、８個のＴＤＤ  Ｅ−ＵＴＲＡキャリアと、を監視可能であるべきである。さらに、いくつかの実施形態では、Ｅ−ＵＴＲＡ測定をサポートし、増加キャリア監視ＵＴＲＡ又は増加キャリア監視Ｅ−ＵＴＲＡをサポートするＵＥは、高速ダウンリンク共有チャネル（ＨＳ−ＤＳＣＨ）不連続受信が進行中であるときに、上述したＥ−ＵＴＲＡ  ＦＤＤ、Ｅ−ＵＴＲＡ
ＴＤＤ、ＵＴＲＡ  ＦＤＤ、ＵＴＲＡ  ＴＤＤ及びＧＳＭレイヤの任意の組み合わせを含む（１個のＧＳＭレイヤは３２個のセルに対応する）サービングレイヤを含む少なくとも１３のキャリア周波数レイヤの合計を監視することができ得る。
【００２２】
ＵＥ１０２が（例えば、ＵＴＲＡ又はＥ−ＵＴＲＡにおける）増加キャリア監視をサポートし、ｅＮＢ１１２がそのような増加キャリア監視を認識するときは、異周波数キャリア又は異なるＲＡＴキャリアのセットは２つのグループに分割されることができる。他のグループと比較してより良い遅延パフォーマンスを有するグループは、通常パフォーマンスグループ（ＮＰＧ）と呼ばれ、他のグループと比較して遅延パフォーマンスが悪いグループは、低下パフォーマンスグループ（ＲＰＧ）と呼ばれる。以下の表３は、増加キャリア監視ＵＴＲＡ（ＵＭＴＳプロトコルを使用する）をサポートするＵＥに対するＮＰＧに含まれ得る様々なタイプのキャリアの最大数の例をまとめており、以下の表４は、増加キャリア監視Ｅ−ＵＴＲＡ（ＬＴＥプロトコルを使用する）をサポートするＵＥに対するＮＰＧに含まれ得る様々なタイプのキャリアの最大数の例をまとめている。表３及び表４における値は、ＵＥ１０２が接続モード（例えば、無線リソース制御接続状態（ＲＲＣ  ＣＯＮＮＥＣＴＥＤ）、セル専用チャネル状態（ＣＥＬＬ  ＤＣＨ）、又はセルフォワードアクセスチャネル状態（ＣＥＬＬ  ＦＡＣＨ））のときに適用することができる。
【００２３】
【表３】
2018033137.tif 000005
【００２４】
【表４】
2018033137.tif 000006
キャリア監視制御回路１０４は、ＮＰＧセル及びＲＰＧセルに様々な動作に対して異なるパフォーマンス要件を適用することができる。例えば、ＵＥ１０２に増加キャリア監視が設定されている場合、キャリア監視制御回路１０４は、ＮＰＧに含まれるキャリアに対して
【００２５】
【数１】
2018033137.tif 000007
の範囲内にある監視セット（「パフォーマンス遅延要件（performance  delay  requirement）」）に属する新たな検出可能セルを識別するように設定されることができる、あるいは、ＲＰＧに含まれるキャリアに対して、
【００２６】
【数２】
2018033137.tif 000008
の範囲内にある監視セットに属する新たな検出可能セルを識別するように設定されることができる。ここで、Ｔｂａｓｉｃ  ｉｄｅｎｔｉｆｙ  ＦＤＤ，ｉｎｔｅｒは、３００ｍｓ（又は、他の適切な値）とすることができ、ＴＭｅａｓｕｒｅｍｅｎｔ  Ｐｅｒｉｏｄ，Ｉｎｔｅｒは、４８０ｍｓ（又は、他の適切な値）とすることができ、ＴＩｎｔｅｒは、異周波数測定に利用可能な最小時間とすることができ、ＮＦｒｅｑ，ｎは、探索され、通常パフォーマンスで測定される、キャリア数とすることができ、ＮＦｒｅｑ，ｒは、探索され、低下パフォーマンスで測定される、キャリア数とすることができ、Ｋｎは、ＮＦｒｅｑ，ｒがゼロである（つまり、探索され、測定される全てのキャリアがＮＰＧに含まれる）ときは、１に等しくすることができ、ＮＦｒｅｑ，ｒがゼロでないときは、Ｓ／（Ｓ−１）に等しくすることができ、Ｓは、スケールファクタであり、Ｋｒは、ＮＦｒｅｑ，ｒがゼロでないときは、Ｓに等しくすることができる。スケールファクタＳは、低下測定パフォーマンスで測定されるキャリアの要件に適用される緩和（relaxation）を定義することができ、より高いレイヤによって伝えられる（signaled）ことができる。
【００２７】
これらは単なる例であり、キャリア監視制御回路１０４は、ＮＰＧキャリア及びＲＰＧキャリアを、様々な方法（本明細書の他の箇所で説明するものを含む）で異なるやり方で扱うことができる。レガシーｅＮＢ１２２は、（例えば、レガシーＵＭＴＳ又はＬＴＥプロトコルは増加キャリア監視を含まない又は認識しないため）ＵＥ１０２による増加キャリア監視を認識するように設定されていない可能性がある。例えば、ＵＥ１０２が上記の式（１）及び式（２）に従って新たな検出可能セルを識別するための測定を行うことを期待する代わりに、レガシーｅＮＢ１２２は、ＵＥ１０２が、
【００２８】
【数３】
2018033137.tif 000009
に従って、新たな検出可能セルを識別するための測定を行うことを期待することができる。ここで、ＮＦｒｅｑは、レガシープロトコルに従って探索され、測定されるキャリア数とすることができる。
【００２９】
しかし、従来のシステムでは、ＵＥは、すべてのキャリアがＮＰＧである（したがって、ＲＰＧとして示されているキャリアがない）場合、サービングｅＮＢが増加キャリア監視をサポートするかどうか、又は増加キャリア監視をサポートしていないかどうかを知ることができない。増加キャリア監視をサポートする従来のＵＥは、例えば、サービングｅＮＢが増加キャリア監視をサポートするときにはＵＥが８個のＦＤＤキャリアを監視することが必要とされることや、サービングｅＮＢが増加キャリア監視をサポートしないときにはＵＥが３個のＦＤＤキャリアを監視することのみが必要とされることを知ることがないので、パフォーマンス失敗（performance  failures）につながることができる。別の例では、ＵＥが、監視セットに属する新たな検出可能セルが特定され得る期間（例えば、式（１）及び式（２）が適用されるべきかどうか、又は式（３）を適用されるべきかどうか）を知らない場合にパフォーマンス失敗が起き得る。
【００３０】
第１セットの実施形態では、ＵＥ１０２がｅＮＢ１１２に関連付けられたセルによって最初にサービスされるときに、ｅＮＢ１１２のキャリア監視制御回路１１４が少なくとも１つのＲＰＧキャリアを設定することを必要とすることによって、これらの問題に対処することができる。少なくとも１つのＲＰＧキャリアが存在することをＵＥ  １０２に伝えることによって、ｅＮＢ１１２は、ｅＮＢ１１２が増加キャリア監視をサポートすること、それゆえ、式（１）及び式（２）が使用されるべきことをＵＥ１０２に示すことができる。ｅＮＢ１１２が全てのキャリアをＲＰＧとして扱うつもりがない場合、キャリア監視制御回路１１４は、その後、設定を変更して、全てのキャリアがＮＰＧであることをＵＥ１０２に伝えることができる（ＵＥ１０２が前のＲＰＧ指示を受信し、それにより、ｅＮＢ１１２が増加キャリア監視をサポートすると結論付けた後に）。
【００３１】
第２セットの実施形態では、ＵＥ１０２がｅＮＢ１１２に関連付けられたセルによって最初にサービスされるときに、ｅＮＢ１１２のキャリア監視制御回路１１４が少なくとも１つのＲＰＧキャリアを設定すること、また、ＲＰＧキャリアの要件に適用される緩和を定義するスケールファクタを設定することを、必要とすることによって、上記で識別された問題に対処することができる。スケールファクタをＵＥ１０２に伝えることによって、ｅＮＢ１１２は、ｅＮＢ１１２が増加キャリア監視をサポートすること、それゆえ、式（１）及び式（２）が使用されるべきことをＵＥ１０２に示すことができる。第１セットの実施形態を参照して上述したように、ｅＮＢ１１２が全てのキャリアをＲＰＧとして扱うつもりがない場合、キャリア監視制御回路１１４は、その後、設定を変更して、ＵＥ１０２にすべてのキャリアがＮＰＧであることをＵＥ１０２に伝えることができる。（ＵＥ１０２がスケールファクタ指示を受信し、それにより、ｅＮＢ１１２が増加キャリア監視をサポートすると結論付けた後に）。
【００３２】
第３セットの実施形態では、全てのキャリアがＮＰＧであるときに、増加キャリア監視を実行すべきか、すべきでないことの指標としてスケールファクタを利用するようにＵＥ  １０２及びｅＮＢ  １１２を設定することによって、最初にＲＰＧとしてキャリアを設定する必要性なしに、上記の問題に対処することができる。全てのキャリアがＮＰＧであるときに、ＵＥ１０２がｅＮＢ１１２からの通信でスケールファクタの存在を検出すると、キャリア監視制御回路１０４は、この条件をｅＮＢ１１２が増加キャリア監視をサポートしていることを示すものとして解釈することができ、式（１）（ＲＰＧキャリアが設定されていない場合は、スケールファクタに依存しない）を適用することができる。第２及び第３セットの実施形態では、スケールファクタがＲＰＧキャリアの測定要件に適用される緩和に関する情報を伝達するので、追加情報を伝達するためにスケールファクタを使用することは黙示的通知の態様であることができ、ｅＮＢとＵＥとの間で通信される多くの、又は追加のデータを必要としないという効果があり得る。
【００３３】
以下の表５は、いくつかの実施形態による、キャリア情報をＵＥ１０２に伝えるためにｅＮＢ１１２のキャリア監視制御回路１１４によって使用され得る例示的なシステム情報ブロックの一部を示す。表５に示すように、情報要素reducedMeasurementPerformance-r12は、「OPTIONAL  Need  OR」として示されている。これは、ｅＮＢ１１２が信号を送ることに対してはその情報要素がオプションではあるが、メッセージがＵＥ１０２により受信され、その情報要素が存在しない場合、ＵＥ１０２は、任意の既存の値（及び／又は、関連している機能性）の中止（discontinue）／使用の停止／削除をすべきことを意味する。表５の例では、情報要素InterFreqCarrierFreqInfo-v12xy及びInterFreqCarrierFreqInfo-r12は、ｅＮＢ１１２がＲＰＧキャリアを示すための異なる方法として機能し、互換性の理由から含めることができる。
【００３４】
【表５】
2018033137.tif 000010
以下の表６は、測定ギャップの設定とともに、同一周波数、異周波数、及び異なるＲＡＴ移動性測定値を含む、ＵＥ１０２によって実行される測定を伝えるために、ｅＮＢ１１２のキャリア監視制御回路１１４によって使用され得る情報要素の例を示す。表６に示すように、情報要素measScaleFactor-r12は、「OPTIONAL  Need  ON」として示されている。これは、ｅＮＢ１１２が信号を送ることに対しては、その情報要素がオプションではあるが、メッセージがＵＥ１０２によって受信され、その情報要素が存在しない場合、ＵＥ１０２は何の措置も取らず、適用可能であれば、既存の値（及び／又は関連している機能性）を引き続き使用すべきこと意味する。いくつかの実施形態では、情報要素measScaleFactor-r12は、「OPTIONAL  Need  ON」の代わりに「OPTIONAL  Need  OR」として示されることができる。いくつかの実施形態では、情報要素measScaleFactor-r12は、OPTIONALの代わりにNON-OPTIONAL（非オプション）として示されることができる。表６では、情報要素measIdToRemoveListExt-r12及びmeasIdToAddModListExt-r12は、（例えば、ＵＥ１０２へ変更を伝えるために）リストから測定オブジェクトを追加又は除去するためにネットワークによって使用されることができる。
【００３５】
【表６】
2018033137.tif 000011
以下の表７は、ＵＥ１０２が低下測定パフォーマンスのためのＵＴＲＡ及びＥ―ＵＴＲＡで設定されている場合に、測定パフォーマンス要件をスケーリングするために使用されるスケールファクタを伝えるために、ｅＮＢ１１２のキャリア監視制御回路１１４によって使用され得る例示的な情報要素MeasScaleFactor-r12を示す。特に、情報要素MeasScaleFactor-r12のsf-Measurementフィールドは、適用可能である場合、ＵＴＲＡ及びＥ−ＵＴＲＡ周波数の測定パフォーマンスをスケーリングするために使用される係数を特定することができる。いくつかの実施形態では、情報要素MeasScaleFactor-r12は、「OPTIONAL  Need  ON」の代わりに「OPTIONAL  Need  OR」として示されることができる。いくつかの実施形態では、情報要素MeasScaleFactor-r12は、OPTIONALの代わりにNON-OPTIONALとして示されることができる。
【表７】
2018033137.tif 000012
【００３６】
いくつかの実施形態では、ｅＮＢ１１２のキャリア監視制御回路１１４は、スケールファクタ（例えば、上述の情報要素MeasScaleFactor-r12のsf-Measurementフィールド）対して指定「NONE」又は他の値を、それ以外の有効なスケールファクタ値を提供する代わりに伝えて、全てのキャリアがＮＰＧとみなされるべきであることを特定することができる。
【００３７】
いくつかの実施形態では、ｅＮＢ１１２のキャリア監視制御回路１１４は、キャリアのシグナリングとは異なる時間に（例えば、表６の情報要素MeasScaleFactor-r12に従って）スケールファクタを設定することができる（例えば、表５のシステム情報ブロックによる）。他の実施形態では、ｅＮＢ１１２のキャリア監視制御回路１１４が、スケールファクタを設定し、同時にキャリアに信号を送ることが必要とされることができる（例えば、表５を参照して上述された情報要素InterFreqCarrierFreqInfo-r12にスケールファクタ情報を含めることによって）。
【００３８】
図２は、ＵＥを動作させるためのプロセス２００のフロー図である。説明を容易にするため、以下、プロセス２００は、ＵＥ１０２を参照して説明することがある。プロセス２００の動作（及び本明細書に記載される他のプロセス）は、特定の順序で配置され、それぞれ一度だけ説明されるが、様々な実施形態において、１つ以上の動作は、繰り返されるか、省略されるか、又は順不同で実行されることがある。例えば、ＲＰＧキャリアが設定されているかどうかを決定することに関連する動作は、スケールファクタが設定されているかどうかの決定に関連する動作の前、後、又はこれと並列に実行されることができる。説明のために、プロセス２００の動作は、ＵＥ１０２のキャリア監視制御回路１０４によって実行されるものとして説明することができるが、プロセス２００は、任意の適切に設定されたデバイス（例えば、プログラムされた処理システム、ＡＳＩＣ又は他の無線コンピューティングデバイス）により実行されることができる。
【００３９】
２０２において、キャリア監視制御回路１０４は、ＲＰＧキャリアが（例えば、ｅＮＢ１１２又はレガシーｅＮＢ１２２によって提供される信号に基づいて）設定されているかどうかを決定することができる。例えば、ＵＥ１０２が、表５のシステム情報ブロックを参照して上述したように設定されているシステム情報ブロックを受信する場合、キャリア監視制御回路１０４は、それに含まれている情報を処理して、ＲＰＧキャリアが設定されているかどうかを決定することができる。他の例では、ＲＰＧが設定されていることを示す信号をＵＥ１０２がｅＮＢから受信しない場合、キャリア監視制御回路１０４は、ＲＰＧが設定されていないと決定することができる。
【００４０】
キャリア監視制御回路１０４が、２０２において、ＲＰＧキャリアが設定されていないと決定した場合、キャリア監視制御回路１０４は、２０４において、全てのキャリアが通常パフォーマンスを有するとみなされる（例えば、ＮＰＧに含まれる）と決定することができる。キャリア監視制御回路１０４は、次いで、２０６において、スケールファクタが設定されているかどうかを決定することができる。例えば、ＵＥ１０２が、表７の情報要素MeasScaleFactorを参照して上述したように情報要素MeasScaleFactorを受信する場合、キャリア監視制御回路１０４は、それに含まれている情報を処理して、スケールファクタが設定されているかどうかを決定することができる。他の例では、スケールファクタが設定されていることを示す信号をＵＥ１０２がｅＮＢから受信しない場合、キャリア監視制御回路１０４は、スケールファクタが設定されていないと決定することができる。
【００４１】
キャリア監視制御回路１０４が、２０６において、スケールファクタが設定されていないと決定した場合、キャリア監視制御回路１０４は、２０８において、ＵＥ１０２が増加したキャリア数を監視することは必要とされず、代わりに「レガシー」なキャリア数を監視することができることを決定することができる。いくつかの実施形態では、ＵＥ１０２にサービングするｅＮＢが、レガシーｅＮＢ１２２であり、増加キャリア監視をサポートしていないときに、これは起こり得る。それにより、何らＲＰＧキャリアが設定されておらず、スケールファクタが設定されていない場合、増加キャリア監視（Ｅ−ＵＴＲＡ又はＵＴＲＡ）のサポートを示すＵＥ１０２は、増加キャリア監視によって特定される増加した数のキャリアを監視することが必要とされなくてよい。
【００４２】
キャリア監視制御回路１０４が、２０６において、スケールファクタが設定されていると決定した場合、キャリア監視制御回路１０４は、２１０において、増加キャリア監視をサポートするＵＥ１０２が、増加キャリア監視を行うことを決定することができる。
【００４３】
２０２に戻り、キャリア監視制御回路１０４が、２０２において、ＲＰＧキャリアが設定されていると決定した場合、キャリア監視制御回路１０４は２１２に進み、スケールファクタが設定されているかどうかを決定することができる。
【００４４】
キャリア監視制御回路１０４が、２１２において、スケールファクタが設定されていないことを決定した場合、キャリア監視制御回路１０４は、２１６において、任意の数の動作を行うことを決定することができる。いくつかの実施形態では、キャリア監視制御回路１０４は、２１６において、デフォルトの低下測定パフォーマンス要件（default  reduced  measurement  performance  requirement）のセットをＲＰＧでのキャリアに適用することができる。これらのデフォルトの低下測定パフォーマンス要件は、無線通信仕様（例えば、３ＧＰＰ仕様）で特定されることができる。例えば、キャリア監視制御回路１０４は、以前に伝えられたスケールファクタを使用することができる。いくつかの実施形態では、キャリア監視制御回路１０４は、２１６において、ネットワークの設定ミス（misconfiguration）が発生したと決定することができ、設定ミスが起こったことを他のコンポーネント（例えば、ｅＮＢ）に伝えることができる。いくつかの実施形態では、キャリア監視制御回路１０４は、２１６において、（２０２において、少なくとも１つのＲＰＧキャリアが設定されていることの決定にもかかわらず）スケールファクタがないことにより、全てのキャリアはＮＰＧであるとみなすことができ、増加キャリア監視パフォーマンス要件に従わなくてもよい。
【００４５】
キャリア監視制御回路１０４が、２１２において、スケールファクタが設定されていることを決定した場合、キャリア監視制御回路１０４は、２１８において、ＲＰＧキャリアの要件に適用される緩和を定義するのにスケールファクタが適用されるべきことを決定することができる（例えば、上記の式（３）に従って）。
【００４６】
図３は、ＵＥを動作させるためのプロセス３００のフロー図である。説明を容易にするため、プロセス３００は、以下、ＵＥ  １０２を参照して説明することがある。説明のために、プロセス３００の動作は、ＵＥ１０２のキャリア監視制御回路１０４によって実行されるものとして説明することができるが、プロセス３００は、任意の適切に設定されたデバイス（例えば、プログラムされた処理システム、ＡＳＩＣ又は他の無線コンピューティングデバイス）により実行されることができる。
【００４７】
３０２において、キャリア監視制御回路１０は、ＵＥ１０２が増加キャリア監視をサポートするように設定することができる。いくつかの実施形態では、増加キャリア監視は、上述のキャリアの数とタイプを監視するＵＥ１０２を必要とする可能性がある。例えば、増加キャリア監視は、ＵＥ１０２が４個より多いＥ−ＵＴＲＡ若しくはＵＴＲＡ  ＦＤＤキャリア及び／又は４個より多いＥ−ＵＴＲＡ若しくはＵＴＲＡ  ＴＤＤキャリアを監視することを必要とすることができる。
【００４８】
３０４において、キャリア監視制御回路１０４は、無線制御回路１０６を介して、ｅＮＢから１つ以上の信号を受信することができる。１つ以上の信号は、ＲＰＧキャリアが設定されているかどうか、及びスケールファクタが設定されているかどうかを示すことができる。例えば、ｅＮＢがレガシーｅＮＢ１２２である場合、ｅＮＢ１２２からの信号は、ＲＰＧキャリアが設定されていることを示していない可能性があったり、スケールファクタが設定されていることを示していない可能性があったりする。例えば、ｅＮＢがｅＮＢ１１２である場合、ｅＮＢ１１２からの信号は、ＲＰＧキャリアが設定されているかどうかを示すことができ、スケールファクタの値を示すことができる。
【００４９】
３０６において、キャリア監視制御回路１０４は、ｅＮＢから１つ以上の信号に基づいて、ＲＰＧキャリアが設定されているかどうかを決定することができる。例えば、ＵＥ  １０２が、表５のシステム情報ブロックを参照して上述したように設定されているシステム情報ブロックを受信する場合、キャリア監視制御回路１０４は、それに含まれている情報を処理して、ＲＰＧキャリアが設定されているかどうかを決定することができる。他の例では、ＲＰＧが設定されていることを示すいかなる信号もＵＥ１０２がｅＮＢから受信しない場合、キャリア監視制御回路１０４は、ＲＰＧが設定されていないと決定することができる。
【００５０】
３０８において、キャリア監視制御回路１０４は、ｅＮＢから１つ以上の信号に基づいて、スケールファクタが設定されているかどうかを決定することができます。ＵＥ１０２が、表７の情報要素MeasScaleFactorを参照して上述したように情報要素MeasScaleFactorを受信する場合、キャリア監視制御回路１０４は、それに含まれている情報を処理して、スケールファクタが設定されているかどうかを決定することができる。他の例では、スケールファクタが設定されていることを示すいかなる信号もＵＥ１０２がｅＮＢから受信しない場合、キャリア監視制御回路１０４は、スケールファクタが設定されていないと決定することができる。
【００５１】
３１０において、キャリア監視制御回路１０４は、ＲＰＧキャリアが設定されておらず、スケールファクタが設定されていないことの決定に応じて、ＵＥ１０２が非増加キャリア監視を行うことを許容する。例えば、ＵＥ１０２が４個以下のＥ−ＵＴＲＡ若しくはＵＴＲＡ  ＦＤＤキャリア及び／又は４個以下のＥ−ＵＴＲＡ若しくはＵＴＲＡ  ＴＤＤキャリアを監視することが許容され得る。
【００５２】
図４は、ｅＮＢを動作させるためのプロセス４００のフロー図です。説明を容易にするため、以下、プロセス４００は、ＵＥ１０２と通信するｅＮＢ１１２を参照して説明することがある。説明のために、プロセス４００の動作は、ｅＮＢ１１２のキャリア監視制御回路１１４によって実行されるものとして説明することができるが、プロセス４００は、任意の適切に設定された装置（例えば、プログラムされたデバイス（例えば、プログラムされた処理システム、ＡＳＩＣ又は他の無線コンピューティングデバイス）によって実行されることができる。
【００５３】
４０２において、キャリア監視制御回路１１４は、無線制御回路１１６を介して、ＵＥ１０２への第１信号の送信を発生させることができる。ＵＥ１０２は、増加キャリア監視パフォーマンスをサポートすることができ、第１信号は、ＲＰＧキャリアが設定されていないことを示すことができる。例えば、キャリア監視制御回路１１４は、表５のシステム情報ブロックを参照して上述したように設定されているシステム情報ブロックの送信を発生させることができる。ここで、システム情報ブロック内の情報はＲＰＧキャリアが設定されていないことを示す。
【００５４】
４０４において、キャリア監視制御回路１１４は、無線制御回路１１６を介して、ＵＥ１０２への第２信号の送信を発生させることができる。第２信号は、スケールファクタが設定されていることを示すことができる。例えば、キャリア監視制御回路１１４が、表７の情報要素MeasScaleFactorを参照して上述したように情報要素MeasScaleFactorの送信を発生させることができる。ここで、情報要素MeasScaleFactor内の情報は、スケールファクタの値を示す。
【００５５】
４０６において、キャリア監視制御回路１１４は、無線制御回路１１６を介して、ＵＥ１０２から、増加キャリア監視に従ってＵＥによって行われた測定値を受信することができる。
【００５６】
例えば、ＵＥ１０２は４個より多いＥ−ＵＴＲＡ若しくはＵＴＲＡ  ＦＤＤキャリア及び／又は４個より多いＥ−ＵＴＲＡ若しくはＵＴＲＡ  ＴＤＤキャリアを監視することが必要とされ得る。
【００５７】
プロセス４００では、ＵＥ１０２が増加キャリア監視をサポートしていない場合、ＲＰＧキャリアがないことの指示の受信及びスケールファクタの指示の受信では、ＵＥ１０２に増加キャリア監視パフォーマンスに応じた測定を行わせることにならない可能性がある。増加キャリア監視がサポートされていないため、代わりに、ＵＥ１０２は、単に非増加キャリア監視に応じて測定を行うことができる。
【００５８】
本明細書で記載されているＵＥ  １０２又はｅＮＢ１１２は、任意の適切なハードウェア、ファームウェア、又は所望に設定されているソフトウェアを使用してシステムに実装されることができる。図５は、１つの実施形態に対して、無線周波数（ＲＦ）回路５０４と、ベースバンド回路５０８と、アプリケーション回路５１２と、メモリ／ストレージ５１６と、ディスプレイ５２０と、カメラ５２４と、センサ５２８と、入力／出力（Ｉ／Ｏ）インタフェース５３２又は図示されるように、互いに結合されたネットワークインタフェース５３６と、含む例示のシステム５００を示す。いくつかの実施形態では、ＲＦ回路５０４及びベースバンド回路５０８は、ＵＥ１０２又はｅＮＢ１１２のための無線ハードウェア１０８又は無線ハードウェア１１８にそれぞれ含まれていることができる。いくつかの実施形態では、アプリケーション回路５１２は、ＵＥ１０２又はｅＮＢ１１２のためのキャリア監視制御回路１０４又はキャリア監視制御回路１１４にそれぞれ含まれていることができる。システム５００の他の回路は、それぞれ、ＵＥ１０２又はｅＮＢ１１２の他の回路１１０又は他の回路１２０に含まれていることができる。
【００５９】
アプリケーション回路５１２は、これらに限定されないが、１つ以上のシングルコアプロセッサ、マルチコアプロセッサ等の回路を含むことができる。（複数の）プロセッサは、汎用プロセッサ及び専用プロセッサ（例えば、グラフィックプロセッサ、アプリケーションプロセッサ等）の任意の組み合わせを含むことができる。プロセッサは、メモリ／ストレージ５１６に結合され、システム５００上で動く様々なアプリケーション又はオペレーティングシステムを有効にするために、メモリ／ストレージ５１６に記憶されている命令を実行するように構成され得る。
【００６０】
ベースバンド回路５０８は、これらに限定されないが、１つ以上のシングルコアプロセッサ又はマルチコアプロセッサ等の回路、例えば、ベースバンドプロセッサを含むことができる。ベースバンド回路５０８は、ＲＦ回路５０４を介した１つ以上の無線アクセスネットワークとの通信を有効にする様々な無線制御機能を取り扱うことができる。無線制御機能は、これらに限定されないが、信号変調、符号化、復号化、無線周波数シフト等を含むことができる。いくつかの実施形態では、ベースバンド回路５０８は、１つ以上の無線技術に対応した通信を提供することができます。例えば、いくつかの実施形態では、ベースバンド回路５０８は、Ｅ−ＵＴＲＡＮ又は他の無線メトロポリタンエリアネットワーク（ＷＭＡＮ）、無線ローカルエリアネットワーク（ＷＬＡＮ）若しくは無線パーソナルエリアネットワーク（ＷＰＡＮ）との通信をサポートすることができる。ベースバンド回路５０８が、複数の無線プロトコルの無線通信をサポートするように構成された実施形態は、マルチモードのベースバンド回路と呼ばれることがある。
【００６１】
様々な実施形態では、ベースバンド回路５０８は、厳密にはベースバンド周波数内にあるとはみなされない信号で動作する回路を含むことができる。例えば、いくつかの実施形態では、ベースバンド回路５０８は、ベースバンド周波数と無線周波数との間にある中間周波数を有する信号で動作する回路を含むことができる。
【００６２】
ＲＦ回路５０４は、ノンソリッド媒体を通じて変調された電磁放射を使用した無線ネットワークとの通信を可能にすることができる。様々な実施形態では、ＲＦ回路５０４は、無線ネットワークとの通信を容易にするためのスイッチ、フィルタ、増幅器等を含むことができる。
【００６３】
様々な実施形態では、ＲＦ回路５０４は、厳密には無線周波数内にあるとはみなされない信号で動作する回路を含むことができる。例えば、いくつかの実施形態では、ＲＦ回路５０４は、ベースバンド周波数と無線周波数との間の中間周波数を有する信号で動作する回路を含むことができる。
【００６４】
いくつかの実施形態では、ベースバンド回路５０８、アプリケーション回路５１２及びメモリ／ストレージ５１６の構成コンポーネントの一部又は全部が、システムオンチップ（ＳＯＣ）でまとめて実装されることができる。
【００６５】
メモリ／ストレージ５１６は、例えば、システム５００のために、データ又は命令をロードし、記憶するために使用されることができる。例えば、メモリ／ストレージ５１６は、システム５００の１つ以上の処理デバイスによる実行に応答して、システム５００に任意の適切な処理（例えば、本明細書で開示されている任意の処理）を実行させる命令をその上に有する１つ以上のコンピュータ読み取り可能媒体（例えば、非一時的なコンピュータ可読メディア）を提供することができる。１つの実施形態のメモリ／ストレージ５１６は、適切な揮発性メモリ（例えば、ダイナミック・ランダム・アクセス・メモリ（ＤＲＡＭ））又は不揮発性メモリ（例えば、フラッシュメモリ）の任意の組み合わせを含むことができる。
【００６６】
様々な実施形態では、Ｉ／Ｏインタフェース５３２は、ユーザとシステム５００との相互作用を可能にするように設計された１つ以上のユーザインタフェース又は、周辺コンポーネントとシステム５００との相互作用を可能にするように設計された周辺コンポーネントインタフェースを含むことができる。ユーザインタフェースは、これらに限定されないが、物理キーボード又はキーパッド、タッチパッド、スピーカ、マイクロフォン等を含むことができる。周辺コンポーネントインタフェースは、これらに限定されないが、不揮発性メモリポート、ユニバーサルシリアルバス（ＵＳＢ）ポート、オーディオジャック及び電源インタフェースを含むことができる。
【００６７】
様々な実施形態では、センサ５２８は、システム５００に関連する環境条件又は位置情報を決定するための１つ以上のセンシングデバイスを含むことができる。いくつかの実施形態では、センサは、これらに限定されるものではないが、ジャイロセンサ、加速度計、近接センサ、環境光センサ、及び測位ユニットを含むことができる。測位ユニットは、また、測位ネットワーク、例えば、全地球測位システム（ＧＰＳ）衛星のコンポーネントと通信するため、ベースバンド回路５０８又はＲＦ回路５０４の一部、又はこれらと相互作用することができる。
【００６８】
様々な実施形態では、ディスプレイ５２０は、ディスプレイ（例えば、液晶ディスプレイ、タッチスクリーンディスプレイ等）を含むことができる。様々な実施形態では、ネットワークインタフェース５３６は、１つ以上の有線ネットワークを介して通信するための回路を含むことができる。
【００６９】
様々な実施形態では、システム５００は、これらに限定されないが、ラップトップコンピューティングデバイス、タブレットコンピューティングデバイス、ネットブック、ウルトラブック（登録商標）、スマートフォン等のモバイルコンピューティングデバイスとするこことができる。様々な実施形態では、システム５００は、より多くの又はより少ないコンポーネント又は異なるアーキテクチャを有することができる。
【００７０】
以下の段落では、本明細書に開示される種々の実施形態の例を示す。
【００７１】
例１は、ＵＥがスケールファクタの存在又は低下パフォーマンスグループキャリアの存在を使用して、ネットワークが増加キャリア監視をサポートするかどうかを決定することができ、それに応じて対応するパフォーマンス遅延要件を適用することができることに応じて、少なくとも１つの低下パフォーマンスグループキャリアの１つ以上のネットワークデバイス（ｅＮＢのような）による設定を含むことができる。
【００７２】
例２は、例１の主題を含むことができ、全てのキャリアがＮＰＧとして設定されているときに、ＵＥが依然としてすべてのＮＰＧに従うことができ、スケールファクタを適用しないことに応じて、１つ以上のネットワークデバイスによる、スケールファクタの設定を、さらに含むことができる。
【００７３】
例３は、例１の主題を含むことができ、ＵＥが、スケールファクタが存在する状態（すなわち、ＵＥは、測定値にスケールファクタを適用するべきではない）でＮＰＧとして設定されているすべてのキャリアのパフォーマンス要件に従うことを、さらに含むことができる。
【００７４】
例４は、例１から３のいずれかの主題を含むことができ、さらに、すべてのキャリアがＮＰＧであることを示すために、スケールファクタに値「none」を使用することを含むことができる。
【００７５】
例５は、例１から４のいずれかの主題を含むことができ、スケールファクタと異周波数リストとを同時に設定する（つまり、InterFreqCarrierFreqInfo-r12を使用する）ことを必要とされるネットワークを、さらに含むことができる。
【００７６】
例６は、例１から５のいずれかの主題を含むことができ、「measScaleFactor-r12  MeasScaleFactor-r12」は「OPTIONAL,--Need  ON」の代わりに「OPTIONAL,--Need  OR」とすべきことをさらに特定することができる。
【００７７】
例７は、例１から６のいずれかの主題を含むことができ、「measScaleFactor-r12  MeasScaleFactor-r12」は、non-optionalとすべきことをさらに特定することができる。
【００７８】
例８は、ネットワークデバイスの動作の方法であって、無線ネットワークのネットワークデバイスにより、少なくとも１つの低下パフォーマンスグループキャリアを設定し、ＵＥに、スケールファクタを伝えることを含み、ＵＥは、応答して、スケールファクタの存在又は低下パフォーマンスグループキャリアの存在を使用して、無線ネットワークが増加キャリア監視をサポートしているかどうかを決定することができる。
【００７９】
例９は、例８の主題を含むことができ、さらにＵＥは、応答して、それに応じて対応するパフォーマンス遅延要件を適用することができることを、さらに特定することができる。
【００８０】
例１０は、例８から９のいずれかの主題を含むことができ、ＵＥが依然として全てのＮＧＰ要件に従うことができ、スケールファクタを適用しないことができることに応答して、ネットワークデバイスにより、すべてのキャリアがＮＰＧとして設定されているときにスケールファクタを設定することを、さらに含むことができる。
【００８１】
例１１は、例８から１０のいずれかの主題を含むことができ、スケールファクタを設定することは、すべてのキャリアがＮＰＧであることを示すために、スケールファクタに値「none」を用いることを含むことを、さらに特定することができる。
【００８２】
例１２は、例８から１１のいずれかの主題を含むことができ、さらに、ネットワークデバイスにより、スケールファクタと異周波数リストとを同時に設定することができる。
【００８３】
例１３は、例１２の主題を含むことができ、スケールファクタと異周波数リストは、InterFreqCarrierFreqInfo-r12を使用して設定されることを、さらに特定することができる。
【００８４】
例１４は、例８から１３のいずれかの主題を含むことができ、「measScaleFactor-r12  MeasScaleFactor-r12」は「OPTIONAL,--Need  OR」であることを、さらに特定することができる。
【００８５】
例１５は、例８から１４のいずれかの主題を含むことができ、「measScaleFactor-r12  MeasScaleFactor-r12」は、non-optionalとであることを、さらに特定することができる。
【００８６】
例１６は、ユーザイクイップメント（ＵＥ）であって、ｅＮＢとの無線通信のための無線ハードウェアと結合する無線制御回路と、無線制御回路に結合されているキャリア監視制御回路とを含み、キャリア監視制御回路は、ＵＥが増加キャリア監視をサポートするように設定し、ここで、増加キャリア監視はＵＥが４個より多い無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）であり；ｅＮＢから受信された１つ以上の信号に基づいて、低下パフォーマンスグループキャリアが設定されているどうかを決定し；ｅＮＢから受信された１つ以上の信号に基づいて、スケールファクタが設定されているどうかを決定し；低下パフォーマンスグループキャリアが設定されていないとの決定及びスケールファクタが設定されていないとの決定に応答して、ＵＥが４個以下のＲＡＴ  ＦＤＤキャリアを監視することを許容する。
【００８７】
例１７は、例１６の主題を含むことができ、増加キャリア監視は、さらに、ＵＥが４個より多いＲＡＴ時分割複信（ＴＤＤ）キャリアを監視することを必要とし、キャリア監視制御回路は、低下パフォーマンスグループキャリアが設定されていないとの決定及びスケールファクタが設定されていないとの決定に応答して、ＵＥが４個以下のＲＡＴ  ＴＤＤキャリアを監視することを許容することを、さらに特定することができる。
【００８８】
例１８は、例１６から１７のいずれかの主題を含むことができ、キャリア監視制御回路は、低下パフォーマンスグループキャリアが設定されていないとの決定及びスケールファクタが設定されているとの決定とに応答して、ＵＥが４個より多いＲＡＴ  ＦＤＤキャリアを監視することを必要とすることを、さらに特定することができる。
【００８９】
例１９は、例１６から１８のいずれかの主題を含むことができ、スケールファクタが低下パフォーマンスグループキャリアの測定に適用される緩和を定義することを、さらに特定することができる。
【００９０】
例２０は、例１９の主題を含むことができ、キャリア監視制御回路は、１個以上の低下パフォーマンスグループキャリアが設定されているとの決定及びスケールファクタが設定されているとの決定に応答して、スケールファクタに少なくとも部分的に基づいてＵＥが１個以上の低下パフォーマンスグループキャリアを監視することを必要とすることを、さらに特定することができる。
【００９１】
例２１は、例１６から２０のいずれかの主題を含むことができ、増加キャリア監視は、ＵＥが少なくとも８個のＲＡＴ  ＦＤＤキャリアを監視することを必要とすることを、さらに特定することができる。
【００９２】
例２２は、例１６から２１のいずれかの主題を含むことができ、キャリア監視制御回路は、低下パフォーマンスグループキャリアが情報要素の低下測定パフォーマンスフィールドに基づいて設定されているかどうかを決定することを、さらに特定することができる。
【００９３】
例２３は、例１６から２２のいずれかの主題を含むことができ、キャリア監視制御回路は、スケールファクタが情報要素MeasScaleFactorに基づいて設定されているかどうかを決定することを、さらに特定することができる。
【００９４】
例２４は、例１６から２３のいずれかの主題を含むことができ、全地球測位システム受信機をさらに含むことができる。
【００９５】
例２５は、命令を有する１つ以上の非一時的なコンピュータ読み取り可能媒体であって、命令は、ユーザイクイップメント（ＵＥ）の１つ以上の処理デバイスによる実行に応答して、ＵＥに：ｅＮＢからＵＥによって受信された１つ以上の信号に基づいて、低下パフォーマンスグループキャリアが設定されているかどうかを決定させ、ここで、ＵＥは、増加キャリア監視をサポートし、増加キャリア監視はＵＥが４個より多い無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）であり；ｅＮＢから受信された１つ以上の信号に基づいて、スケールファクタが設定されているかどうかを決定し；低下パフォーマンスグループキャリアが設定されていないとの決定及びスケールファクタが設定されていないとの決定に応答して、ＵＥが４個以下のＲＡＴ  ＦＤＤキャリアを監視することを許容する。
【００９６】
例２６は、例２５の主題を含むことができ、１つ以上の信号は、スケールファクタが設定されていることを示す情報要素MeasScaleFactorを含むことを、さらに特定することができる。
【００９７】
例２７は、例２５から２６のいずれかの主題を含むことができ、スケールファクタが低下パフォーマンスグループキャリアの測定に適用される緩和を定義することを、さらに特定することができる。
【００９８】
例２８は、例２７の主題を含むことができ、命令は、ＵＥの１つ以上の処理デバイスによる実行に応答して、ＵＥに、ｅＮＢから、１個以上の低下パフォーマンスグループキャリアが設定されていることを示す追加信号を受信させ；追加信号に応答してｅＮＢに、スケールファクタに従ってなされた１個以上の低下パフォーマンスグループキャリアの測定値を提供させることを、さらに特定することができる。
【００９９】
例２９は、ｅＮＢであって、無線通信のための無線ハードウェアと結合する無線制御回路と、無線制御回路に結合されているキャリア監視制御回路と、を含み、キャリア監視制御回路は、ユーザイクイップメント（ＵＥ）への第１信号の送信を発生させ、ここで、第１信号は低下パフォーマンスグループキャリアが設定されていないことを示し、ＵＥは増加キャリア監視をサポートするように設定されており、増加キャリア監視はＵＥが４個以上の無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）であり；ＵＥへの第２信号の送信を発生させ、ここで、第２信号はスケールファクタが設定されていることを示し；ＵＥから、増加キャリア監視測定値を受信し、ここで、増加キャリア監視測定値は、４個より多いＲＡＴ  ＦＤＤキャリアの測定値を含み、ＵＥは、第１及び第２信号の受信に応答して、増加キャリア監視測定を実行する。
【０１００】
例３０は、例２９の主題を含むことができ、第２信号は、スケールファクタが設定されていることを示す情報要素MeasScaleFactorを含むことを、さらに特定することができる。
【０１０１】
例３１は、例２９から３０のいずれかの主題を含むことができ、スケールファクタが低下パフォーマンスグループキャリアの測定に適用される緩和を定義することを、さらに特定することができる。
【０１０２】
例３２は、例３１の主題を含むことができ、キャリア監視制御回路が、ＵＥへの第３信号の送信を発生させ、ここで、第３信号は、１個以上の低下パフォーマンスグループキャリアが設定されていることを示し；第３の信号に応答して、ＵＥから、スケールファクタに従ってなされた１個以上の低下パフォーマンスグループキャリアの測定値を受信することを、さらに特定することができる。
【０１０３】
例３３は、例２９から３２のいずれかの主題を含むことができ、さらに、アンテナを含む無線ハードウェアを含むことができる。
【０１０４】
例３４は、命令を有する１つ以上の非一時的なコンピュータ読み取り可能媒体であって、命令は、ｅＮＢの１つ以上の処理デバイスによる実行に応答して、ｅＮＢに：ユーザイクイップメント（ＵＥ）への第１信号の送信を発生させ、ここで、第１信号は、低下パフォーマンスグループキャリアが設定されていないこと示し、ＵＥが４個より多い無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）であり；ＵＥへの第２信号の送信を発生させ、ここで、第２信号はスケールファクタが設定されていることを示し；第１及び第２信号の受信に応答したＵＥから、増加キャリア監視測定値を受信する。
【０１０５】
例３５は、例３４の主題を含むことができ、増加キャリ監視測定値は、４個より多いＲＡＴ  ＦＤＤキャリアの測定値を含むことを、さらに特定することができる。
【０１０６】
例３６は、例３４から３５のいずれかの主題を含むことができ、増加キャリア監視は、ＵＥが４個より多いＲＡＴ時分割複信（ＴＤＤ）キャリアを監視することを必要とし、命令は、ｅＮＢに、ｅＮＢの１つ以上の処理デバイスによる実行に応答して、４個以下のＲＡＴ  ＴＤＤキャリアのＵＥから測定値を受信させることを、さらに特定することができる。
【０１０７】
例３７は、例３４から３６のいずれかの主題を含むことができ、増加キャリア監視は、ＵＥが少なくとも８個のＲＡＴ  ＦＤＤキャリアを監視することを必要とすることを、さらに特定することができる。
【０１０８】
例３８は、例３４から３７のいずれかの主題を含むことができ、第１信号が情報要素の低下測定パフォーマンスフィールドを含むことを、さらに特定することができる。
【０１０９】
例３９は、例３４から３８のいずれかの主題を含むことができ、第２信号が情報要素MeasScaleFactorを含むことを、さらに特定することができる。
【０１１０】
例４０は、例３９の主題を含むことができ、情報要素MeasScaleFactorは、non-optionalであることを、さらに指定することができる。
【０１１１】
例４１は、無線通信の方法であって、ユーザイクイップメント（ＵＥ）により、ＵＥが増加キャリア監視をサポートするように設定し、ここで、増加キャリア監視はＵＥが４個より多い無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）であり；ＵＥにより、ｅＮＢから受信された１つ以上の信号に基づいて、低下パフォーマンスグループキャリアが設定されているどうかを決定し；ＵＥにより、ｅＮＢから受信された１つ以上の信号に基づいて、スケールファクタが設定されているどうかを決定し；低下パフォーマンスグループキャリアが設定されていないとの決定及びスケールファクタが設定されていないとの決定に応答して、ＵＥにより、ＵＥが４個以下のＲＡＴ  ＦＤＤキャリアを監視することを許容することを含む。
【０１１２】
例４２は、例４１の主題を含むことができ、増加キャリア監視がさらに、ＵＥが４個より多いＲＡＴ時分割複信（ＴＤＤ）キャリアを監視することを必要とし、方法は、低下パフォーマンスグループキャリアが設定されていないとの決定及びスケールファクタが設定されていないとの決定に応答して、ＵＥによって、ＵＥが４個以下のＲＡＴのＴＤＤキャリアを監視することを許容することをさらに含むことを、さらに特定することができる。
【０１１３】
例４３は、例４１から４２のいずれかの主題を含むことができ、低下パフォーマンスグループキャリアが設定されていないとの決定及びスケールファクタが設定されているとの決定に応答して、ＵＥによって、ＵＥが４個より多いＲＡＴ  ＦＤＤキャリアを監視することを必要とすることを、さらに特定することができる。
【０１１４】
例４４は、例４１から４３のいずれかの主題を含むことができ、スケールファクタが低下パフォーマンスグループキャリアの測定に適用される緩和を定義することを、さらに特定することができる。
【０１１５】
例４５は、例４４の主題を含むことができ、１つ以上の低下パフォーマンスグループキャリアが設定されているとの決定及びスケールファクタが設定されているとの決定に応答して、ＵＥによって、スケールファクタに少なくとも部分的に基づいてＵＥが１つ以上の低下パフォーマンスグループキャリアを監視することを必要とすることを、さらに特定することができる。
【０１１６】
例４６は、例４１から４５のいずれかの主題を含むことができ、増加キャリア監視は、ＵＥが少なくとも８個のＲＡＴ  ＦＤＤキャリアを監視することを必要とすることを、さらに特定することができる。
【０１１７】
例４７は、例４１から４６のいずれかの主題を含むことができ、ＵＥにより、低下パフォーマンスグループキャリアが情報要素の低下測定パフォーマンスフィールドに基づいて設定されているかどうかを決定することを、さらに含むことができる。
【０１１８】
例４８は、例４１から４７のいずれかの主題を含むことができ、ＵＥにより、スケールファクタが情報要素MeasScaleFactorに基づいて設定されているかどうかを決定することを、さらに含むことができる。
【０１１９】
例４９は、例４１から４８のいずれかの主題を含むことができ、ＵＥにより、全地球測位システム受信機を動作させることを、さらに含むことができる。
【０１２０】
例５０は、無線通信の方法であって、ユーザイクイップメント（ＵＥ）により、低下パフォーマンスグループキャリアが設定されているかどうか、ｅＮＢからＵＥによって受信された１つ以上の信号に基づいて、低下パフォーマンスグループキャリアが設定されているかどうかを決定し、ここで、ＵＥは、増加キャリア監視をサポートし、増加キャリア監視はＵＥが４個より多い周波数分割複信（ＦＤＤ）キャリアを監視することを必要とし；ＵＥにより、ｅＮＢから受信された１つ以上の信号に基づいて、スケールファクタが設定されているかどうかを決定し；低下パフォーマンスグループキャリアが設定されていないとの決定及びスケールファクタが設定されていないとの決定に応答して、ＵＥにより、ＵＥが４個以下のＲＡＴ  ＦＤＤキャリアを監視することを許容する。
【０１２１】
例５１は、例５０の主題を含むことができ、１つ以上の信号は、スケールファクタが設定されていることを示す情報要素MeasScaleFactorを含むことを、さらに特定することができる。
【０１２２】
例５２は、例５０−５１の任意の主題を含むことができ、スケールファクタが低下パフォーマンスグループキャリアの測定に適用される緩和を定義することを、さらに特定することができる。
【０１２３】
例５３は、例５２の主題を含むことができ、ＵＥによって、ｅＮＢから、１個以上の低下パフォーマンスグループキャリアが設定されていることを示す追加信号を受信し；ＵＥによって、追加信号に応答してｅＮＢに、スケールファクタに従ってなされた１個以上の低下パフォーマンスグループキャリアの測定値を提供することを、さらに含むことができる。
【０１２４】
例５４を含む、無線通信のための方法であって、ｅＮＢによって、ユーザイクイップメント（ＵＥ）への第１信号の送信を発生させ、ここで、第１信号は低下パフォーマンスグループキャリアが設定されていないことを示し、ＵＥは増加キャリア監視をサポートするように設定されており、増加キャリア監視はＵＥが４個以上の無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）であり；ｅＮＢによって、ＵＥへの第２信号の送信を発生させ、ここで、第２信号はスケールファクタが設定されていることを示し；ｅＮＢによって、ＵＥから、増加キャリア監視測定値を受信し、ここで、増加キャリア監視測定値は、４個より多いＲＡＴ  ＦＤＤキャリアの測定値を含み、ＵＥは、第１及び第２信号の受信に応答して、増加キャリア監視測定を実行することを、含む。
【０１２５】
例５５は、例５４の主題を含むことができ、第２信号は、スケールファクタが設定されていることを示す情報要素MeasScaleFactorを含むことを、さらに特定することができる。
【０１２６】
例５６は、例５４から５５のいずれかの主題を含むことができ、スケールファクタが低下パフォーマンスグループキャリアの測定に適用される緩和を定義することを、さらに特定することができる。
【０１２７】
例５７は、例５６の主題を含むことができ、ｅＮＢにより、ＵＥへの第３信号の送信を発生させ、ここで、第３信号は、１個以上の低下パフォーマンスグループキャリアが設定されていることを示し；第３の信号に応答して、ｅＮＢにより、ＵＥから、スケールファクタに従ってなされた１個以上の低下パフォーマンスグループキャリアの測定値を受信することを、さらに含むことができる。
【０１２８】
例５８は、例５４から５７のいずれかの主題を含むことができ、さらに、無線ハードウェアを動作させること含み、無線ハードウェアはアンテナを含む。
【０１２９】
例５９は、無線通信の方法であって、ｅＮＢにより、ユーザイクイップメント（ＵＥ）への第１信号の送信を発生させ、ここで、第１信号は、低下パフォーマンスグループキャリアが設定されていないこと示し、ＵＥが４個より多い周波数分割複信（ＦＤＤ）キャリアを監視することを必要とし；ｅＮＢにより、ＵＥへの第２信号の送信を発生させ、ここで、第２信号はスケールファクタが設定されていることを示し；第１及び第２信号の受信に応答したＵＥから、ｅＮＢにより、増加キャリア監視測定値を受信することを、含む。
【０１３０】
例６０は、例５９の主題を含むことができ、増加キャリア監視測定値は、４個より多いＲＡＴ  ＦＤＤキャリアの測定値を含むことを、さらに特定することができる。
【０１３１】
例６１は、例５９から６０のいずれかの主題を含むことができ、増加キャリア監視は、ＵＥが４個より多いＲＡＴ時分割複信（ＴＤＤ）キャリアを監視することを必要とし、方法は、ｅＮＢにより、４個以下のＲＡＴ  ＴＤＤキャリアのＵＥから測定値を受信することを、さらに特定することができる。
【０１３２】
例６２は、例５９から６１のいずれかの主題を含むことができ、増加キャリア監視は、ＵＥが少なくとも８個のＲＡＴ  ＦＤＤキャリアを監視することを必要とすることを、さらに特定することができる。
【０１３３】
例６３は、例５９から６２のいずれかの主題を含むことができ、第１信号が情報要素の低下測定パフォーマンスフィールドを含むことを、さらに特定することができる。
【０１３４】
例６４は、例５９から６３のいずれかの主題を含むことができ、第２信号が情報要素MeasScaleFactorを含むことを、さらに特定することができる。
【０１３５】
例６５は、例６４の主題を含むことができ、情報要素MeasScaleFactorは、non-optionalであることを、さらに指定することができる。
【０１３６】
例６６は、無線通信のためのユーザイクイップメント（ＵＥ）であって、ＵＥが増加キャリア監視をサポートするように設定する手段であって、ここで、増加キャリア監視はＵＥが４個より多い無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）である、手段と、ｅＮＢから受信された１つ以上の信号に基づいて、低下パフォーマンスグループキャリアが設定されているどうかを決定する手段と、ｅＮＢから受信された１つ以上の信号に基づいて、スケールファクタが設定されているどうかを決定する手段と、低下パフォーマンスグループキャリアが設定されていないとの決定及びスケールファクタが設定されていないとの決定に応答して、ＵＥが４個以下のＲＡＴ  ＦＤＤキャリアを監視することを許容する手段と、を含む
例６７は、例６６の主題を含むことができ、増加キャリア監視がさらに、ＵＥが４個より多いＲＡＴ時分割複信（ＴＤＤ）キャリアを監視することを必要とし、ＵＥは、低下パフォーマンスグループキャリアが設定されていないとの決定及びスケールファクタが設定されていないとの決定に応答して、ＵＥが４個以下のＲＡＴのＴＤＤキャリアを監視することを許容する手段をさらに含むことを、さらに特定することができる。
【０１３７】
例６８は、例６６から６７のいずれかの主題を含むことができ、低下パフォーマンスグループキャリアが設定されていないとの決定及びスケールファクタが設定されているとの決定に応答して、ＵＥが４個より多いＲＡＴ  ＦＤＤキャリアを監視することを必要とする手段をさらに含むことを、さらに特定することができる。
【０１３８】
例６９は、例６６から６８のいずれかの主題を含むことができ、スケールファクタが低下パフォーマンスグループキャリアの測定に適用される緩和を定義することを、さらに特定することができる。
【０１３９】
例７０は、例６９の主題を含むことができ、１個以上の低下パフォーマンスグループキャリアが設定されているとの決定及びスケールファクタが設定されているとの決定に応答して、スケールファクタに少なくとも部分的に基づいてＵＥが１個以上の低下パフォーマンスグループキャリアを監視することを必要とする手段をさらに含むことを、さらに特定することができる。
【０１４０】
例７１は、例６６から７０のいずれかの主題を含むことができ、増加キャリア監視は、ＵＥが少なくとも８個のＲＡＴ  ＦＤＤキャリアを監視することを必要とすることを、さらに特定することができる。
【０１４１】
例７２は、例６６から７１のいずれかの主題を含むことができ、低下パフォーマンスグループキャリアが情報要素の低下測定パフォーマンスフィールドに基づいて設定されているかどうかを決定する手段を、さらに含むことができる。
【０１４２】
例７３は、例６６から７２のいずれかの主題を含むことができ、スケールファクタが情報要素MeasScaleFactorに基づいて設定されているかどうかを決定する手段をさらに含むことができる。
【０１４３】
例７４は、例６６から７３のいずれかの主題を含むことができ、全地球測位システム受信機を動作させる手段を、さらに含むことができる。
【０１４４】
例７５は、ユーザイクイップメント（ＵＥ）であって、低下パフォーマンスグループキャリアが設定されているかどうか、ｅＮＢからＵＥによって受信された１つ以上の信号に基づいて、低下パフォーマンスグループキャリアが設定されているかどうかを決定する手段であって、ここで、ＵＥは、増加キャリア監視をサポートし、増加キャリア監視はＵＥが４個より多い周波数分割複信（ＦＤＤ）キャリアを監視することを必要とする、手段と、ｅＮＢから受信された１つ以上の信号に基づいて、スケールファクタが設定されているかどうかを決定する手段と、低下パフォーマンスグループキャリアが設定されていないとの決定及びスケールファクタが設定されていないとの決定に応答して、ＵＥが４個以下のＲＡＴ  ＦＤＤキャリアを監視することを許容する手段と、を含む。
【０１４５】
例７６は、例７５の主題を含むことができ、１つ以上の信号は、スケールファクタが設定されていることを示す情報要素MeasScaleFactorを含むことを、さらに特定することができる
例７７は、例７５から７６のいずれかの主題を含むことができ、スケールファクタが低下パフォーマンスグループキャリアの測定に適用される緩和を定義することを、さらに特定することができる。
【０１４６】
例７８は、例７７の主題を含むことができ、ｅＮＢから、１個以上の低下パフォーマンスグループキャリアが設定されていることを示す追加信号を受信する手段と、追加信号に応答してｅＮＢに、スケールファクタに従ってなされた１個以上の低下パフォーマンスグループキャリアの測定値を提供する手段とを、さらに含むことができる。
【０１４７】
例７９は、ｅＮＢであって、ユーザイクイップメント（ＵＥ）への第１信号の送信を発生させる手段であって、ここで、第１信号は低下パフォーマンスグループキャリアが設定されていないことを示し、ＵＥは増加キャリア監視をサポートするように設定されており、増加キャリア監視はＵＥが４個以上の無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）である、手段と、ＵＥへの第２信号の送信を発生させる手段であって、ここで、第２信号はスケールファクタが設定されていることを示す、手段と、ＵＥから、増加キャリア監視測定値を受信する手段であって、ここで、増加キャリア監視測定値は、４個より多いＲＡＴ  ＦＤＤキャリアの測定値を含む、手段と、を含み、ＵＥは、第１及び第２信号の受信に応答して、増加キャリア監視測定を実行する。
【０１４８】
例８０は、例７９の主題を含むことができ、第２信号は、スケールファクタが設定されていることを示す情報要素MeasScaleFactorを含むことを、さらに特定することができる。
【０１４９】
例８１は、例７９から８０のいずれかの主題を含むことができ、スケールファクタが低下パフォーマンスグループキャリアの測定に適用される緩和を定義することを、さらに特定することができる。
【０１５０】
例８２は、例８１の主題を含むことができ、ＵＥへの第３信号の送信を発生させる手段であって、ここで、第３信号は、１個以上の低下パフォーマンスグループキャリアが設定されていることを示す、手段と、第３の信号に応答して、ｅＮＢにより、ＵＥから、スケールファクタに従ってなされた１個以上の低下パフォーマンスグループキャリアの測定値を受信する手段とを、さらに含むことができる
例８３は、例７９から８２のいずれかの主題を含むことができ、さらに、無線ハードウェアを動作させる手段を含み、無線ハードウェアはアンテナを含む。
【０１５１】
例８４は、ユーザイクイップメント（ＵＥ）への第１信号の送信を発生させる手段であって、ここで、第１信号は、低下パフォーマンスグループキャリアが設定されていないこと示し、ＵＥが４個より多い周波数分割複信（ＦＤＤ）キャリアを監視することを必要とする手段と、ＵＥへの第２信号の送信を発生させる手段であって、ここで、第２信号はスケールファクタが設定されていることを示し；第１及び第２信号の受信に応答したＵＥから、ｅＮＢにより、増加キャリア監視測定値を受信することを、含む。
【０１５２】
例８５は、例８４の主題を含むことができ、増加キャリア監視測定値は、４個より多いＲＡＴ  ＦＤＤキャリアの測定値を含むことを、さらに特定することができる。
【０１５３】
例８６は、例８４から８５のいずれかの主題を含むことができ、増加キャリア監視は、ＵＥが４個より多いＲＡＴ時分割複信（ＴＤＤ）キャリアを監視することを必要とし、ｅＮＢは、４個以下のＲＡＴ  ＴＤＤキャリアのＵＥから測定値を受信する手段をさらに含むことを、さらに特定することができる。
【０１５４】
例８７は、例８４から８６のいずれかの主題を含むことができ、増加キャリア監視は、ＵＥが少なくとも８個のＲＡＴ  ＦＤＤキャリアを監視することを必要とすることを、さらに特定することができる。
【０１５５】
例８８は、例８４から８７のいずれかの主題を含むことができ、第１信号が情報要素の低下測定パフォーマンスフィールドを含むことを、さらに特定することができる。
【０１５６】
例８９は、例８４から８８のいずれかの主題を含むことができ、第２信号が情報要素MeasScaleFactorを含むことを、さらに特定することができる。
【０１５７】
例９０は、例８９の主題を含むことができ、情報要素MeasScaleFactorは、non-optionalであることを、さらに指定することができる。
【０１５８】
例９１は、例１から１５及び４１から６５のいずれかの方法若しくはプロセス又は本明細書に記載の任意の他の方法又はプロセスの要素を実行する手段を含む装置を含むことができる。
【０１５９】
例９２は、電子デバイスの１つ以上のプロセッサによる命令の実行によって、電子デバイスに、例１から１５及び４１から６５のいずれかの方法若しくはプロセス又は本明細書に記載の任意の他の方法又はプロセスを実行させる命令を含む、１つ以上の非一時的なコンピュータ読み取り可能媒体。
【０１６０】
例９３は、例１から１５及び４１から６５のいずれかの方法若しくはプロセス又は本明細書に記載の任意の他の方法又はプロセスを実行する、制御回路、送信回路及び／又は受信回路を含む装置を含むことができる。
【０１６１】
例９４は、本明細書に示され、記載されている無線ネットワークにおける通信の方法のいずれかを含むことができる。
【０１６２】
例９５は、本明細書に示され、記載されている無線通信を提供するシステムのいずれかを含むことができる。
【０１６３】
例９６は、本明細書に示され、記載されている無線通信を提供する装置のいずれかを含むことができる。
【図１】
2018033137.tif 000013
【図２】
2018033137.tif 000014
【図３】
2018033137.tif 000015
【図４】
2018033137.tif 000016
【図５】
2018033137.tif 000017
【外国語明細書】
2018033137000001.pdf